(57)【要約】  【課題】シリンダヘッドの熱歪みを抑制することができる水冷エンジンを提供する。  【解決手段】ヘッド水ジャケット２０は、第１排気入口ポート壁３ｄと第２排気入口ポート壁３ｅの間に排気ポート壁間水路２９を備え、シリンダヘッド６は、シリンダヘッド６の底壁６ｃに設けられた冷却水噴射通路２７を備え、この冷却水噴射通路２７は、排気端６ａ側に偏倚され、排気端６ａ寄りの通路入口２７ａと、排気ポート壁間水路２９に向けられた通路出口２７ｂを備え、排気ポート壁３ｃは、第１排気入口ポート壁３ｄから排気端６ａ側に向けて導出された放熱フィン２８を備え、この放熱フィン２８と第２排気入口ポート壁３ｅの間が排気ポート壁間水路２９への水路導入口とされている。【選択図】    図１
2019011703.tif 000002
【特許請求の範囲】
【請求項１】
シリンダヘッド(６)を備え、シリンダヘッド(６)は、吸気ポート(２)と、排気ポート(３)と、これらポート(２)(３)の周囲でエンジン冷却水(３６)を通過させるヘッド水ジャケット(２０)を備え、
クランク軸(８)の架設方向を前後方向、前後方向と直交するシリンダヘッド(６)の幅方向を横方向として、シリンダヘッド(６)の横一端を排気端(６ａ)、横他端を吸気端(６ｂ)として、
排気ポート(３)は、第１排気弁口(３ａ)と、これよりも排気端(６ａ)寄りの第２排気弁口(３ｂ)を備え、排気ポート壁は、第１排気弁口(３ａ)寄りの第１排気入口ポート壁(３ｄ)と、第２排気弁口(３ｂ)寄りの第２排気入口ポート壁(３ｅ)を備え、
ヘッド水ジャケット(２０)は、第１排気入口ポート壁(３ｄ)と第２排気入口ポート壁(３ｅ)の間に排気ポート壁間水路(２９)を備え、
シリンダヘッド(６)は、シリンダヘッド(６)の底壁(６ｃ)に設けられた冷却水噴射通路(２７)を備え、この冷却水噴射通路(２７)は、排気端(６ａ)側に偏倚され、排気端(６ａ)寄りの通路入口(２７ａ)と、排気ポート壁間水路(２９)に向けられた通路出口(２７ｂ)を備え、
排気ポート壁(３ｃ)は、第１排気入口ポート壁(３ｄ)から排気端(６ａ)側に向けて導出された放熱フィン(２８)を備え、この放熱フィン(２８)と第２排気入口ポート壁(３ｅ)の間が排気ポート壁間水路(２９)の水路入口(２９ａ)とされている、ことを特徴とする水冷エンジン。
【請求項２】
請求項１に記載された水冷エンジンにおいて、
排気ポート壁間水路(２９)の水路出口(２９ｂ)は、燃料インジェクタ(１５)に向けられている、ことを特徴とする水冷エンジン。
【請求項３】
請求項１または請求項２に記載された水冷エンジンにおいて、
吸気ポート壁は、吸気弁口(２ａ)寄りの吸気出口ポート壁(２ｂ)を備え、ヘッド水ジャケット(２０)は、吸気出口ポート壁(２ｂ)と第２排気入口ポート壁(３ｅ)との間に吸排気ポート壁間水路(３０)を備え、
シリンダヘッド(６)は、ヘッド水ジャケット(２０)の底壁(６ｃ)に設けられた第２冷却水噴射通路(３１)を備え、この第２冷却水噴射通路(３１)は、排気端(６ａ)寄りの第２通路入口(３１ａ)と、吸排気ポート壁間水路(３０)の水路入口(３０ａ)に向けられた第２通路出口(３１ｂ)を備えている、ことを特徴とする水冷エンジン。
【請求項４】
請求項３に記載された水冷エンジンにおいて、
第２冷却水噴射通路(３１)は、排気端(６ａ)側に偏倚されている、ことを特徴とする水冷エンジン。
【請求項５】
請求項３または請求項４に記載された水冷エンジンにおいて、
シリンダヘッド(６)は、シリンダヘッド(６)の天井壁(６ｄ)の下面(６ｆ)に沿う第２放熱フィン(３２)を備え、
第２放熱フィン(３２)とシリンダヘッド(６)の底壁(６ｃ)の間に絞り通路(３２ａ)が設けられ、絞り通路(３２ａ)は、吸排気ポート壁間水路(３０)の流水方向上流側に配置されている、ことを特徴とする水冷エンジン。
【請求項６】
請求項５に記載された水冷エンジンにおいて、
シリンダヘッド(６)は、吸気弁軸挿通ボス(２ｃ)と対向する位置で、排気端(６ａ)側に設けられたプッシュロッド室壁(６ｅ)を備え、第２放熱フィン(３２)は、吸気弁軸挿通ボス(２ｃ)とプッシュロッド室壁(６ｅ)との間に架設されている、ことを特徴とする水冷エンジン。
【請求項７】
請求項５または請求項６に記載された水冷エンジンにおいて、
第２放熱フィン(３２)は、第２冷却水噴射通路(３１)の第２通路出口(３１ｂ)よりも、吸排気ポート壁間水路(３０)から遠ざけられている、ことを特徴とする水冷エンジン。
【請求項８】
請求項３から請求項７のいずれかに記載された水冷エンジンにおいて、
吸排気ポート壁間水路(３０)の水路出口(３０ｂ)は、燃料インジェクタ(１５)に向けられている、ことを特徴とする水冷エンジン。
【請求項９】
請求項１から請求項８のいずれかに記載された水冷エンジンにおいて、
シリンダブロック(５)とシリンダヘッド(６)の間に挟み込まれるヘッドガスケット(３３)を備え、
シリンダヘッド(６)の底壁(６ｃ)は、燃焼室天井壁(３４)と、燃焼室天井壁(３４)の外周側に位置し、ヘッドガスケット(３３)のビード(３３ａ)を押圧する押圧壁(３５)を備え、
シリンダヘッド(６)の底壁(６ｃ)のうち、押圧壁(３５)は、押圧壁(３５)と隣り合う燃焼室天井壁(３４)の外周部(３４ａ)よりも厚肉とされている、ことを特徴とする水冷エンジン。
【発明の詳細な説明】
【技術分野】
【０００１】
本発明は、水冷エンジンに関し、詳しくは、シリンダヘッドの熱歪みを抑制することができる水冷エンジンに関する。
【背景技術】
【０００２】
従来、水冷エンジンとして、シリンダヘッドを備え、シリンダヘッドは、吸気ポートと、排気ポートと、これらポートの周囲でエンジン冷却水を通過させるヘッド水ジャケットを備えた水冷エンジンがある(例えば、特許文献１参照)。
この種の水冷エンジンによれば、エンジン冷却水でシリンダヘッドを強力に冷却することができる利点がある。
【先行技術文献】
【特許文献】
【０００３】
【特許文献１】特開平８−２６１０５９号公報(図１、図４、図５参照)
【発明の概要】
【発明が解決しようとする課題】
【０００４】
《問題》  シリンダヘッドの熱歪みが大きくなるおそれがある。
この水冷エンジンでは、高出力化すると、排気温度が高まり、排気側の冷却が不足し、シリンダヘッドの熱歪みが大きくなるおそれがある。
【０００５】
本発明の課題は、シリンダヘッドの熱歪みを抑制することができる水冷エンジンを提供することにある。
【課題を解決するための手段】
【０００６】
本発明の発明特定事項は、次の通りである。
図１(Ａ)に例示するように、シリンダヘッド(６)を備え、シリンダヘッド(６)は、吸気ポート(２)と、排気ポート(３)と、これらポート(２)(３)の周囲でエンジン冷却水(３６)を通過させるヘッド水ジャケット(２０)を備え、
クランク軸(８)の架設方向を前後方向、前後方向と直交するシリンダヘッド(６)の幅方向を横方向として、シリンダヘッド(６)の横一端を排気端(６ａ)、横他端を吸気端(６ｂ)として、
排気ポート(３)は、第１排気弁口(３ａ)と、これよりも排気端(６ａ)寄りの第２排気弁口(３ｂ)を備え、排気ポート壁は、第１排気弁口(３ａ)寄りの第１排気入口ポート壁(３ｄ)と、第２排気弁口(３ｂ)寄りの第２排気入口ポート壁(３ｅ)を備え、
ヘッド水ジャケット(２０)は、第１排気入口ポート壁(３ｄ)と第２排気入口ポート壁(３ｅ)の間に排気ポート壁間水路(２９)を備え、
シリンダヘッド(６)は、シリンダヘッド(６)の底壁(６ｃ)に設けられた冷却水噴射通路(２７)を備え、この冷却水噴射通路(２７)は、排気端(６ａ)側に偏倚され、排気端(６ａ)寄りの通路入口(２７ａ)と、排気ポート壁間水路(２９)に向けられた通路出口(２７ｂ)を備え、
排気ポート壁(３ｃ)は、第１排気入口ポート壁(３ｄ)から排気端(６ａ)側に向けて導出された放熱フィン(２８)を備え、この放熱フィン(２８)と第２排気入口ポート壁(３ｅ)の間が排気ポート壁間水路(２９)への水路導入口とされている、ことを特徴とする水冷エンジン。
【発明の効果】
【０００７】
本発明は、次の効果を奏する。
《効果》シリンダヘッド(６)の熱歪みが抑制される。
図１(Ａ)に例示するように、熱負荷の高い排気端(６ａ)寄りのシリンダヘッド(６)の底壁(６ｃ)が冷却水噴射通路(２７)を通過するエンジン冷却水(３６)で強力に冷却される。また、熱負荷の高い第１排気入口ポート壁(３ｄ)と第２排気入口ポート壁(３ｅ)が、冷却水噴射通路(２７)から噴射されたエンジン冷却水(３６)で強力に冷却される。このため、排気側の冷却不足が改善され、シリンダヘッド(６)の熱歪みが抑制される。
【０００８】
《効果》第１排気入口ポート壁(３ｄ)の冷却性能が高い。
放熱フィン(２８)からの放熱で、第１排気入口ポート壁(３ｄ)の放熱性能が高い。
《効果》第１排気入口ポート壁(３ｄ)と第２排気入口ポート壁(３ｅ)の冷却性能が高い。
図１(Ａ)に例示するように、エンジン冷却水(３６)が放熱フィン(２８)で排気ポート壁間水路(２９)から離間する方向に拡散せず、排気ポート壁間水路(２９)にスムーズに流入し、第１排気入口ポート壁(３ｄ)と第２排気入口ポート壁(３ｅ)の冷却性能が高い。
【図面の簡単な説明】
【０００９】
【図１】本発明の実施形態に係る水冷エンジンのシリンダヘッドを説明する図で、図１(Ａ)は模式平面図、図１(Ｂ)は図１(Ａ)のＢ−Ｂ線断面図、図１(Ｃ)は図１(Ａ)のＣ−Ｃ線断面図である。
【図２】本発明の実施形態に係る水冷エンジンの燃焼室の縦断面図である。
【図３】本発明の実施形態に係るエンジンの縦断正面図である。
【図４】図３のエンジンの縦断側面図である。
【図５】図３のエンジンの正面図である。
【図６】図３のエンジンの側面図である。
【図７】図３のエンジンの平面図である。
【発明を実施するための形態】
【００１０】
図１は本発明の実施形態に係る水冷エンジンを説明する図であり、この実施形態では、水冷のコモンレール式直列４気筒ディーゼルエンジンについて説明する。
【００１１】
このエンジンの概要は、次の通りである。
図３に示すように、このエンジンは、シリンダブロック(５)と、シリンダブロック(５)の上部に組み付けられたシリンダヘッド(６)と、シリンダヘッド(６)の上部に組み付けられたシリンダヘッドカバー(７)と、シリンダブロック(５)の下部に組み付けられたオイルパン(４)と、クランク軸(８)の架設方向を前後方向として、図４に示すように、シリンダブロック(５)の前部に配置されたベルト伝動機構(９)と、シリンダブロック(５)の後部に配置されたフライホイールハウジング(１０)と、前後方向と直交するエンジンの幅方向を横方向として、図３に示すように、シリンダヘッド(６)の横一側に設けられた吸気マニホルド(１１)と、シリンダヘッド(６)の横他側に設けられた排気マニホルド(１２)を備えている。
このエンジンは、燃料噴射装置と防振装置と水冷装置と潤滑装置と油冷装置を備えている。
【００１２】
燃料噴射装置は、コモンレール式のもので、図６に示すように、燃料サプライポンプ(１３)と、コモンレール(１４)と、図４に示すように、燃料インジェクタ(１５)を備え、燃焼室に燃料を噴射する。
防振装置は、図３に示すように、回転バランサ(１)を備え、エンジンの二次振動を相殺し、エンジンの振動を低減する。
【００１３】
水冷装置は、ラジエータ(図示せず)と、図３に示すように、シリンダブロック(５)の吸気側に設けられた水入口室(１６)と、図６に示すように、水入口室(１６)の前部に設けられた水ポンプ(１７)と、図３に示すように、水ポンプ(１７)の後で水入口室(１６)の下部に設けられた水中継室(１８)と、シリンダブロック(５)内に設けられたブロック水ジャケット(１９)と、シリンダヘッド(６)内に設けられたヘッド水ジャケット(２０)を備えている。
水冷装置は、水ポンプ(１７)のポンプ圧で、ラジエータで放熱されたエンジン冷却水を、水入口室(１６)、水ポンプ(１７)、水中継室(１８)、ブロック水ジャケット(１９)、ヘッド水ジャケット(２０)、ラジエータの順に循環させ、エンジンを水冷する。
【００１４】
潤滑装置は、シリンダブロック(５)の後部に内蔵されたオイルポンプ(図外)と、図３に示すように、水中継室(１８)に収容されたオイルクーラ(２１)と、補器取付ベース(２２)にオイルクーラ(２１)と共に取り付けられたオイルフィルタ(２３)と、シリンダブロック(５)の吸気側の肉壁内に設けられたオイルギャラリ(２４)を備え、オイルポンプのポンプ圧で、オイルパン(４)内のエンジンオイル(４ａ)を、オイルポンプ、オイルクーラ(２１)、オイルフィルタ(２３)、オイルギャラリ(２４)、図３に示すクランク軸(８)の軸受け(８ａ)等のエンジン摺動部、オイルパン(４)の順に循環させ、エンジンの摺動部を強制潤滑する。
【００１５】
油冷装置は、図３に示すように、シリンダブロック(５)の吸気側の肉壁内にオイルギャラリ(２４)と平行に設けられたオイルジェットデリバリ通路(２５)と、ピストン(２６)の下方に設けられたオイルジェットノズル(２５ａ)と、ピストン(２６)に内設されたクーリングチャンネル(２６ａ)を備え、潤滑装置のオイルクーラ(２１)とオイルフィルタ(２３)を順に通過したエンジンオイル(４ａ)の一部を補器取付ベース(２２)内でオイルジェットデリバリ通路(２５)に分流させさせ、オイルジェットノズル(２５ａ)からクーリングチャンネル(２６ａ)内に向けて噴射させ、ピストン(２６)を油冷する。
【００１６】
水冷装置の構成は、次の通りである。
図１(Ａ)に示すように、シリンダヘッド(６)を備え、シリンダヘッド(６)は、吸気ポート(２)と、排気ポート(３)と、これらポート(２)(３)の周囲でエンジン冷却水(３６)を通過させるヘッド水ジャケット(２０)を備えている。
このためエンジン冷却水(３６)でシリンダヘッド(６)を強力に冷却することができる利点がある。
【００１７】
図１(Ａ)に示すように、クランク軸(８)の架設方向を前後方向、前後方向と直交するシリンダヘッド(６)の幅方向を横方向として、シリンダヘッド(６)の横一端を排気端(６ａ)、横他端を吸気端(６ｂ)とする。
排気ポート(３)は、第１排気弁口(３ａ)と、これよりも排気端(６ａ)寄りの第２排気弁口(３ｂ)を備え、排気ポート壁は、第１排気弁口(３ａ)寄りの第１排気入口ポート壁(３ｄ)と、第２排気弁口(３ｂ)寄りの第２排気入口ポート壁(３ｅ)を備えている。
【００１８】
ヘッド水ジャケット(２０)は、第１排気入口ポート壁(３ｄ)と第２排気入口ポート壁(３ｅ)の間に排気ポート壁間水路(２９)を備えている。
シリンダヘッド(６)は、シリンダヘッド(６)の底壁(６ｃ)に設けられた冷却水噴射通路(２７)を備え、この冷却水噴射通路(２７)は、排気端(６ａ)側に偏倚され、排気端(６ａ)寄りの通路入口(２７ａ)と、排気ポート壁間水路(２９)に向けられた通路出口(２７ｂ)を備えている。
排気ポート壁(３ｃ)は、第１排気入口ポート壁(３ｄ)から排気端(６ａ)側に向けて導出された放熱フィン(２８)を備え、この放熱フィン(２８)と第２排気入口ポート壁(３ｅ)の間が排気ポート壁間水路(２９)の水路入口(２９ａ)とされている。
冷却水噴射通路(２７)の通路入口(２７ａ)には、ブロック水ジャケット(１９)の排気側から浮上したエンジン冷却水(３６)が導入される。
【００１９】
このため、この実施形態では、図１(Ａ)に示すように、熱負荷の高い排気端(６ａ)寄りのシリンダヘッド(６)の底壁(６ｃ)が冷却水噴射通路(２７)を通過するエンジン冷却水(３６)で強力に冷却される。また、熱負荷の高い第１排気入口ポート壁(３ｄ)と第２排気入口ポート壁(３ｅ)が、冷却水噴射通路(２７)から噴射されたエンジン冷却水(３６)で強力に冷却される。このため、排気側の冷却不足が改善され、シリンダヘッド(６)の熱歪みが抑制される。
【００２０】
また、放熱フィン(２８)からの放熱で、第１排気入口ポート壁(３ｄ)の放熱性能が高い。
更に、図１(Ａ)に示すように、エンジン冷却水(３６)が放熱フィン(２８)で排気ポート壁間水路(２９)から離間する方向に拡散せず、排気ポート壁間水路(２９)にスムーズに流入し、第１排気入口ポート壁(３ｄ)と第２排気入口ポート壁(３ｅ)の冷却性能が高い。
【００２１】
なお、冷却水噴射通路(２７)から噴射されたエンジン冷却水(３６)の水流で、排気ポート壁間水路(２９)の水路入口(２９ａ)付近のエンジン冷却水(３６)はその水路入口(２９ａ)に引き込まれる。この水路入口(２９ａ)には、ブロック水ジャケット(１９)のシリンダボア間水路から浮上孔(３９)を介して浮上したエンジン冷却水(３６)も引き込まれる。
【００２２】
図１(Ａ)に示すように、排気ポート壁間水路(２９)の水路出口(２９ｂ)は、燃料インジェクタ(１５)に向けられている。
このため、この実施形態では、図１(Ａ)に示するように、排気ポート壁間水路(２９)を通過したエンジン冷却水(３６)が燃料インジェクタ(１５)に向けられ、燃料インジェクタ(１５)の冷却性能が高い。
【００２３】
図１(Ａ)に示すように、吸気ポート壁は、吸気弁口(２ａ)寄りの吸気出口ポート壁(２ｂ)を備え、ヘッド水ジャケット(２０)は、吸気出口ポート壁(２ｂ)と第２排気入口ポート壁(３ｅ)との間に吸排気ポート壁間水路(３０)を備え、
シリンダヘッド(６)は、ヘッド水ジャケット(２０)の底壁(６ｃ)に設けられた第２冷却水噴射通路(３１)を備え、この第２冷却水噴射通路(３１)は、排気端(６ａ)寄りの第２通路入口(３１ａ)と、吸排気ポート壁間水路(３０)の水路入口(３０ａ)に向けられた第２通路出口(３１ｂ)を備えている。
このため、この実施形態では、図１(Ａ)に示すように、熱負荷の高い第２排気入口ポート壁(３ｅ)が、第２冷却水噴射通路(３１)から噴射されたエンジン冷却水(３６)で強力に冷却され、熱負荷の低い吸気出口ポート壁(２ｂ)との温度差が小さくなり、シリンダヘッド(６)の熱歪みが抑制される。
第２冷却水噴射通路(３１)の第２通路入口(３１ａ)には、ブロック水ジャケット(１９)の排気側から浮上したエンジン冷却水(３６)が導入される。
【００２４】
図１(Ａ)に示すように、第２冷却水噴射通路(３１)は、排気端(６ａ)側に偏倚されている。
このため、この実施形態では、図１(Ａ)に例示するように、熱負荷の高い排気端(６ａ)寄りのシリンダヘッド(６)の底壁(６ｃ)が第２冷却水噴射通路(３１)を通過するエンジン冷却水(３６)で強力に冷却され、排気側の冷却不足が改善され、シリンダヘッド(６)の熱歪みが抑制される。
【００２５】
図１(Ａ)(Ｃ)に示すように、シリンダヘッド(６)は、シリンダヘッド(６)の天井壁(６ｄ)の下面(６ｆ)に沿う第２放熱フィン(３２)を備えている。
第２放熱フィン(３２)とシリンダヘッド(６)の底壁(６ｃ)の間に絞り通路(３２ａ)が設けられ、絞り通路(３２ａ)は、吸排気ポート壁間水路(３０)の流水方向上流側に配置されている。
このため、この実施形態では、図１(Ａ)(Ｃ)に示すように、吸排気ポート壁間水路(３０)の水路入口に向かうエンジン冷却水(３６)が第２放熱フィン(３２)でシリンダヘッド(６)の底壁(６ｃ)側に偏向され、熱負荷の高い第２排気入口ポート壁(３ｅ)の第２排気弁口(３ｂ)に近い側が強力に冷却され、第２排気入口ポート壁(３ｅ)の冷却性能が高い。
【００２６】
図１(Ａ)(Ｃ)に示すように、シリンダヘッド(６)は、吸気弁軸挿通ボス(２ｃ)と対向する位置で、排気端(６ａ)側に設けられたプッシュロッド室壁(６ｅ)を備え、第２放熱フィン(３２)は、吸気弁軸挿通ボス(２ｃ)とプッシュロッド室壁(６ｅ)との間に架設されている。
このため、この実施形態では、図１(Ａ)(Ｃ)に示すように、排気端(６ａ)側に設けられたプッシュロッド室壁(６ｅ)の熱は、第２放熱フィン(３２)を介して吸気弁軸挿通ボス(２ｃ)に放熱され、シリンダヘッド(６)の排気側と吸気側の温度差が小さくなり、シリンダヘッド(６)の熱歪みが抑制される。
【００２７】
図１(Ａ)に示すように、第２放熱フィン(３２)は、第２冷却水噴射通路(３１)の第２通路出口(３１ｂ)よりも、吸排気ポート壁間水路(３０)から遠ざけられている。
このため、この実施形態では、図１(Ａ)に示すように、第２冷却水噴射通路(３１)の第２通路出口(３１ｂ)から噴射され、吸排気ポート壁間水路(３０)の水路入口(３０ａ)での吸熱で昇温し、浮上したエンジン冷却水(３６)の逆流が第２放熱フィン(３２)で受け止められ、吸排気ポート壁間水路(３０)を通過するエンジン冷却水(３６)の通過量の減少が抑制され、第２排気入口ポート壁(３ｅ)の冷却性能が高い。
【００２８】
図１(Ａ)に示すように、吸排気ポート壁間水路(３０)の水路出口(３０ｂ)は、燃料インジェクタ(１５)に向けられている。
このため、この実施形態では、図１(Ａ)に示すように、吸排気ポート壁間水路(３０)から流出したエンジン冷却水(３６)が燃料インジェクタ(１５)に向けられ、燃料インジェクタ(１５)の冷却性能が高い。
【００２９】
図２に示すように、シリンダブロック(５)とシリンダヘッド(６)の間に挟み込まれるヘッドガスケット(３３)を備えている。
シリンダヘッド(６)の底壁(６ｃ)は、燃焼室天井壁(３４)と、燃焼室天井壁(３４)の外周側に位置し、ヘッドガスケット(３３)のビード(３３ａ)を押圧する押圧壁(３５)を備えている。
シリンダヘッド(６)の底壁(６ｃ)のうち、押圧壁(３５)は、押圧壁(３５)と隣り合う燃焼室天井壁(３４)の外周部(３４ａ)よりも厚肉とされている。
【００３０】
このため、この実施形態では、図２に示すように、熱負荷が高い燃焼室天井壁(３４)の外周部(３４ａ)は薄肉のため、蓄熱が抑制され、燃焼室天井壁(３４)の熱膨張によるシリンダ径方向外側への押圧壁(３５)の位置ずれが起こり難いうえ、ビード(３３ａ)が圧接される押圧壁(３５)は厚肉のため、ビード(３３ａ)の反力による窪みが生じ難く、ヘッドガスケット(３３)の封止性能が高い。
図２中の符号(１５ａ)はインジェクタカバー、(３４ｂ)はインジェクタ挿通ボス、(４０)は燃焼室である。
【００３１】
図１中の符号(３７)は前記吸気弁口(２ａ)よりも吸気端(６ｂ)寄りに設けられた第２吸気弁口、(３７ａ)は第２吸気出口ポート壁で、吸気弁口(２ａ)はヘリカル吸気ポートのもの、第２吸気弁口(３７)はタンジェンシャル吸気ポートのものである。また、符号(３８)は吸気出口ポート壁(２ｂ)と第２吸気出口ポート壁(３７ａ)との間の吸気ポート壁間水路である。
【符号の説明】
【００３２】
(２)…吸気ポート、(２ａ)…吸気弁口、(２ｂ)…吸気出口ポート壁、(２ｃ)…弁ガイド挿入ボス、(３)…排気ポート、(３ａ)…第１排気弁口、(３ｂ)…第２排気弁口、(３ｄ)…第１排気入口ポート壁、(３ｅ)…第２排気入口ポート壁、(５)…シリンダブロック、(６)…シリンダヘッド、(６ａ)…排気端、(６ｂ)…吸気端、(６ｃ)…底壁、(６ｄ)…天井壁、(６ｅ)…ブッシュロッド室壁、(８)…クランク軸、(１５)…燃料インジェクタ、(２０)…ヘッド水ジャケット、(２７)…冷却水噴射通路、(２７ａ)…通路入口、(２７ｂ)…通路出口、(２８)…放熱フィン、(２９)…排気ポート壁間水路、(２９ａ)…水路入口、(２９ｂ)…水路出口、(３０)…吸排気ポート壁間水路、(３０ａ)…水路入口、(３０ｂ)…水路出口、(３１)…第２冷却水噴射通路、(３１ａ)…第２通路入口、(３１ｂ)…第２通路出口、 (３２)…第２放熱フィン、(３２ａ)…絞り通路、(３３)…ヘッドガスケット、(３３ａ)…ビード、(３４)…燃焼室天井壁、(３４ａ)…外周部、(３５)…押圧壁、(３６)…エンジン冷却水。
【図１】
2019011703.tif 000003
【図２】
2019011703.tif 000004
【図３】
2019011703.tif 000005
【図４】
2019011703.tif 000006
【図５】
2019011703.tif 000007
【図６】
2019011703.tif 000008
【図７】
2019011703.tif 000009